(57)【特許請求の範囲】
【請求項１】
上縁付きの被梱包物品を隙間を持って収容する段ボール製外箱と、前記外箱と前記被梱包物品との隙間に介装されて梱包体に加わる衝撃から前記被梱包物品を保護する内装材とからなり、
前記内装材は、略矩形状の段ボールの上端部および下端部を折り曲げて形成した４角筒部またはＬ字型部を有し、前記上縁と前記外箱の底板との間に介装されて前記被梱包物品の重量を支えるとともに、前記被梱包物品の底面および側面と、前記外箱の底板および側板との間に、所定の隙間を確保する側面パットを備えている梱包手段において、
前記被梱包物品は、ハウジングの上部外周に前記ハウジングの側壁の上端から外方に水平的に展設された上縁を有するビルトイン型のガスこんろであり、
前記側面パットは、上端部に、先端が前記外箱の側板に接触するように外方に折り曲げて形成された４角筒部を有し、下端部に、先端が前記外箱の側板に接触するように外方に折り曲げて形成された４角筒部またはＬ字型部を有し、
前記側面パットの上端部の前記４角筒部の上面が前記上縁の下面に当接するように前記ハウジングの左右両側壁と前記外箱の左右側板との間に介装されていることを特徴とする梱包手段。
【請求項２】
請求項１に記載の梱包手段において、前記４角筒部は、該４角筒部の両端から差し込んだ段ボール製筋交いを有することを特徴とする梱包手段。
【発明の詳細な説明】
【０００１】
【発明の属する技術分野】
この発明は、リサイクルおよび環境保全に好適であるとともに、上縁を備えた物品（製品）を梱包するための梱包手段に関する。
【０００２】
【従来の技術】
システムキッチンに組み付けられるガスこんろは、ハウジングの上部に上縁を有し、カウンターに開けた穴にハウジングを落とし込むとともに前記上縁をカウンターに引っ掛けて吊されるビルトイン構造になっている。このビルトイン型のガスこんろの工場からの搬出は、製品を収容する段ボール箱と、該段ボール箱内に製品を固定するとともに、搬送中などに加わる衝撃から製品を保護する内装材とを組み合わせた梱包手段により行われている。この耐衝撃基準として５０ｃｍの高さから落下しても梱包した製品が損傷しない衝撃吸収性が要求されている。
【０００３】
この内装材として、形成の容易性および耐衝撃性の大きさなどの観点から発泡スチロール、発泡ポリエチレン、発泡ポリプロピレンなど発泡成型樹脂が多用されている。梱包手段は、環境保全の観点から使用後にできるだけリサイクルすることが望まれる。波状に形成した波紙の片面または両面に厚紙を張り合わせてなる段ボール紙はリサイクルに便利であるが、発泡樹脂のリサイクルには費用が掛かり、焼却または廃棄すると環境汚染を生ずる問題がある。
【０００４】
【発明が解決しようとする課題】
このため、内装材はできるだけ段ボール製とすることが望まれるが、段ボールは、発泡樹脂に比較して耐圧縮性強度に方向性があるとともに、製品の形状に合わせて任意に形成することが難しい。このため、耐衝撃性基準を達成する内装材の全てを段ボールで形成するには困難が伴う。
この発明の目的は、製品の搬送中の耐衝撃基準に確実に達成できるとともに、形成の容易な構造の段ボール紙製の内装材を備えた梱包手段の提供にある。
【０００５】
【課題を解決するための手段】
この発明の梱包手段は、上縁付きの被梱包物品を隙間を持って収容する段ボール製外箱と、前記外箱と前記被梱包物品との隙間に介装されて梱包体に加わる衝撃から前記被梱包物品を保護する内装材とからなり、前記内装材は、略矩形状の段ボールの上端部および下端部を折り曲げて形成した４角筒部またはＬ字型部を有し、前記上縁と前記外箱の底板との間に介装されて前記被梱包物品の重量を支えるとともに、前記被梱包物品の底面および側面と、前記外箱の底板および側板との間に、所定の隙間を確保する側面パットを備えている梱包手段において、
前記被梱包物品は、ハウジングの上部外周に前記ハウジングの側壁の上端から外方に水平的に展設された上縁を有するビルトイン型のガスこんろであり、前記側面パットは、上端部に、先端が前記外箱の側板に接触するように外方に折り曲げて形成された４角筒部を有し、下端部に、先端が前記外箱の側板に接触するように外方に折り曲げて形成された４角筒部またはＬ字型部を有し、前記側面パットの上端部の前記４角筒部の上面が前記上縁の下面に当接するように前記ハウジングの左右両側壁と前記外箱の左右側板との間に介装されていることを特徴とする。
【０００６】
【発明の作用効果】
この発明では、側面パットで被梱包物品の上縁と箱の底板との間を支持するとともに物品の底面と外箱の底板とに空間を確保し、４角筒部とＬ字型部で、外箱の側面との間に隙間を確保しているため、梱包体が落下したりして衝撃が加わっても物品が損傷することを有効に防止できる。また、側面パット１枚を段ボールの打抜き、折り曲げで形成できるため、低コストである。また、ビルトイン型のガスこんろのハウジングの左右両側壁と外箱の左右側板との間に側面パットを介装している。これにより簡単な構成で上縁付きガスこんろの梱包体の耐衝撃性が確保できる。
【０００８】
請求項２の構成では４角筒部の両端から差し込んだ段ボール製筋交いが４角筒部の強度を適当に増大させる作用を有する。この筋交いは、段ボールの縁に折り曲げ片を突設し、この折り曲げ片を折り曲げて４角筒部の両端から差し込む構造のものがコスト低減の観点から有効である。
【０００９】
【発明の実施の形態】
図１はこの発明の一実施例にかかり、上縁付き物品としてのガスこんろ１を梱包する梱包手段２を示す。梱包手段２は、ガスこんろ１が所定の遊び（隙間）を持って収納される直方体状の段ボール製外箱３と、該外箱３内のガスこんろ１と外箱３との隙間に介装されてガスこんろ１を固定する内装材４とからなる。
【００１０】
外箱３は、図２の（イ）に示す所定の形状に形成した段ボール３０を折り曲げて接着代を接着して組み立られ、２重の段ボール製底板３１、前後左右の側板３２〜３５、各側板３２〜３５を上方に延長した前後左右の天板３６〜３９を有する。天板３６〜３９は、ガスこんろ１を内装材４とともに収容した後に、図２の（ロ）に示す如く、内側に折り曲げられてステープルＳで固定され、梱包体１００が形成される。
【００１１】
内装材４は、ガスこんろ１の着脱可能な部品と外箱３との隙間、またはガスこんろの着脱可能な部品の相互間にも介装される。外箱３および内装材４は、図２に示す梱包体１００が搬送中に落下するなどして加わる衝撃から、梱包物品であるガスこんろ１が損傷を受けることを防止する機能が要求されている。
【００１２】
ガスこんろ１は、システムキッチンのカウンターに設けた矩形穴に落とし込むようにして組み付られるビルトイン型ガスこんろであり、偏平な直方体状を呈するハウジング１０を有する。ハウジング１０には、前後左右の側板１１の上端から外方に上縁１２が水平的に展設され、上縁１２にはガスこんろの天板１３が着脱可能に載置される。
【００１３】
ハウジング１０の中央には、前方への引出し可能な焼き網付きグリル皿１４を備えたグリル１５が設けられている。ハウジング１０内には３ないし４個のガスバーナ（図示せず）が装着されている。天板１３には、各ガスバーナの頭部に遊嵌する３ないし４個のバーナ穴が形成され、バーナ穴とバーナ頭部との円環状の空間を塞ぐ３ないし４個の円環状汁受皿１６が着脱可能に設置される。
【００１４】
天板１３の上には、２つに分割されている五徳１７、１８が着脱自在に載置される。ガスこんろ１は、ハウジング１０に固定または安定的に保持されている部品と、天板１３、複数（この実施例では３個）の汁受皿１６、五徳１７、１８などの分離している部品とを、各種の内装材４で区隔して段ボール製外箱３に梱包され、図２の（ロ）に示す梱包体１００として工場から出荷される。
【００１５】
内装材４は、いずれも段ボール製の、底面パット５、左右の側面パット６、６、天板保護パット４１、天面パット７および部品収納パット８を備える。また、これらのパット群の他に、紙などのシートからなる本体カバー４２、天板カバー４３、段ボール製のグリル部品箱４５などが使用されている。
【００１６】
底面パット５は、図３の（イ）に示す如く、波紙が前後方向（図示長手方向）の畝を有し、所定の形状の打ち抜き穴５１を所定位置に開けた略矩形の段ボール５０を、破線で示す折り曲げ線５２で折り曲げ、要所をクラフト粘着テープで止めたり、接着剤で接着したり、ステープルで固定したり、突出部を切り込みに差し込むことにより形成されている。この実施例では、ハウジング１０の底部の構造に合わせて、図３の（ロ）に示す如く、前端に小４角筒部５３を形成し、後端に大４角筒部５４を有する。
【００１７】
底面パット５は、底板３１に重なる平面寸法に形成され、小４角筒部５３および大４角筒部５４は上方に膨出して外箱３内に嵌め込まれ、箱の前後の側板３２、３３間に挟持される。ハウジング１０は、下端の前面および後面が、小４角筒部５３および大４角筒部５４の間に保持され、ハウジング１０の前後面と側板３２、３３との間には所定寸法の隙間が確保される。なお、小４角筒部５３または大４角筒部５４は、いずれか一方または双方を別の段ボールで形成してもよく、別体の場合は組み付け作業性が向上する利点がある一方で部品数が増大する不具合も生じる。
【００１８】
側面パット６は、図４の（イ）に示す如く、波板が上下方向の畝を有する略矩形の段ボール６０に、所定の形状を有する打ち抜き穴６１、切り込み６２および左右の切り欠き６３、６３を所定の位置に形成し、折り曲げ線６４で折り曲げ、上記と同様に要所を接着したり差し込むことにより形成されている。この実施例では、図４の（ロ）に示す如く、上端の外側に４角筒部６５を有し、下端に外側に折り曲げて形成したＬ字型部６６が設けられている。
【００１９】
切り欠き６３、６３内には、帯状の折り曲げ片６７、６７が突設されており、４角筒部６５の両側から折り曲げ片６７、６７が４角筒部６５内に差し込まれ、４角筒部６５の筋交い６８として変形防止の作用する。なお、筋交い６８は別体の段ボール帯板を使用してもよく、段ボール５０の先端に筋交い６８となる折り曲げ代を形成してもよい。
【００２０】
４角筒部６５は、ハウジング１０の左右の側面１Ａ、１Ｂに当てがわれ、４角筒部６５は、上面が上縁１２の下面に当接し、外面が左右の側板３４、３５に接触する。Ｌ字型部６６は、下面が底面パット５の上面に載置され、外端は外箱３の左右の側板３４、３５に接触する。
【００２１】
側面パット６、６により、左右の側板３４、３５とハウジング１０の左右の側面１Ａ、１Ｂとの間には、４角筒部６５およびＬ字型部６６で上下が支持された隙間が形成される。また、側面パット６、６が内側の壁板となり、空間付き２重構造が形成される。また、側面パット６、６は、高さがハウジング１０の上縁１２から底面１Ｃまでの高さより８ｍｍ大きく設定されている。
【００２２】
このため、底面１Ｃと底面パット５との間には８ｍｍの隙間が確保される。これにより、梱包体が搬送中に落下しても、ガスこんろ１の損傷が有効に防止できる。なお、側面パット６、６は、上下両端に４角筒部６５を有する構造であってもよい。
【００２３】
天面パット７は、図５の（イ）に示す如く、前後方向（図示長手方向）の畝を有し、打ち抜き穴７１、切り欠き７２を開けた長方形の段ボール７０を、折り曲げ線７３で折り曲げて要所を接着したり差し込むことにより形成されている。この実施例では、ハウジング１０の形状にあわせて、図５の（ロ）に示す如く、前端に小４角筒部７４を形成し、左右および後端に下方への折り曲げ部７５を有する。天面パット７は、天板１３の上に重ねて敷かれ、小４角筒部７４、左右および後端の折り曲げ部７５の内側に天板１３を内包する。
【００２４】
部品収納パット８は、図６の（イ）に示す如く、矩形の段ボール８０に所定の打ち抜き穴８１、切り込み８２、縁の切り欠き８３を形成し、一点鎖線で示す折り曲げ線８４で折り曲げて要所を接着したり差し込むことにより組み立てられる。組立品は図６の（ロ）に示す如く、隙間８Ａを隔てて左右に４角筒部８Ｂ、８Ｃを有する双筒構造となる。
【００２５】
４角筒部８Ｂ、８Ｃの前部には、電池Ｐの嵌め込み穴８５、８５、およびエンドピースカバー４４、４４の嵌め込み穴８６、８６が形成されている。４角筒部８Ｂ、８Ｃの後部には、切り欠き円から構成される３個の汁受皿嵌着凹部８７、８８、８９が列設される。嵌着凹部８７、８９には、４角筒部８Ｂ、８Ｃの内側壁を上方に延長して突起８７１、８９１が設けられている。
【００２６】
嵌着凹部８７、８９には、径大の汁受皿１６１を外周を保持させて嵌め込むことができ、大きさの異なる汁受皿も内周を突起８７１、８９１に外嵌させて固定できる。これにより、大小２種類の汁受皿を同一の嵌着凹部８７、８９に固定させることが可能で、１種類の部品収納パット８を型式のことなるガスこんろに使用できる。
【００２７】
部品収納パット８は、図１に示す如く、天面パット７の上に五徳１７、１８とともに載置され、天板３６〜３９により上方から押さえられて固定される。
上記実施例では、被梱包物品がビルトイン型ガスこんろの場合について説明したが、物品の重量を支持できる上縁を有する被梱包物品であれば何でもよいことは自明である。
【図面の簡単な説明】
【図１】梱包手段の組付図である。
【図２】段ボール製外箱の展開図および組立図である。
【図３】底面パットの斜視図および展開図である。
【図４】側面パットの斜視図および展開図である。
【図５】天面パットの斜視図および展開図である。
【図６】部品収納パットの斜視図および展開図である。
【符号の説明】
１    ガスこんろ
２    梱包手段
３    段ボール製外箱
４    内装材
５    底面パット
６    側面パット
７    天面パット
８    部品収納パット
１２  上縁
【図１】
0004034928.tif 000002
【図２】
0004034928.tif 000003
【図３】
0004034928.tif 000004
【図４】
0004034928.tif 000005
【図５】
0004034928.tif 000006
【図６】
0004034928.tif 000007